(57)【要約】【課題】複数の画像表示装置を各表示面が使用者に向くように並列に配置して使用する際における視認性の向上を図る。【解決手段】表示面の上下左右の辺のうち少なくともいずれか１つの辺である注目辺に沿って配置された外装額縁部の部分を注目外装額縁部とし、注目外装額縁部の背面側の外装外周部の部分を注目外装外周部とした場合、注目外装外周部には、背面側から注目外装額縁部の外周端部に向かうにつれて徐々に表示パネルに近づく傾斜面が形成され、注目外装外周部に覆われるパネルホルダーの部分には、傾斜面の内壁に干渉しないように、傾斜面の形状に倣った傾斜形状、又は、段差形状が形成されている。【選択図】図１
2016109918.tif 000002
【特許請求の範囲】
【請求項１】
表示パネルと、
前記表示パネルを保持するパネルホルダーであって、前記表示パネルの表示面の周縁部に対向して枠状に配置される額縁部と、前記額縁部の外周端部から画像表示装置の背面側に向かって設けられ前記表示パネルの外周を取り囲む外周部と、を有するパネルホルダーと、
前記額縁部を覆う外装額縁部と、前記外装額縁部の外周端部から前記背面側に向かって設けられ前記外周部を覆う外装外周部とを有する外装部材と、
を備えた画像表示装置において、
前記表示面の上下左右の辺のうち少なくともいずれか１つの辺である注目辺に沿って配置された前記外装額縁部の部分を注目外装額縁部とし、前記注目外装額縁部の前記背面側の前記外装外周部の部分を注目外装外周部とした場合、
前記注目外装外周部には、前記背面側から前記注目外装額縁部の外周端部に向かうにつれて徐々に前記表示パネルに近づく傾斜面が形成され、
前記注目外装外周部に覆われる前記パネルホルダーの部分には、前記傾斜面の内壁に干渉しないように、前記傾斜面の形状に倣った傾斜形状、又は、段差形状が形成されていることを特徴とする画像表示装置。
【請求項２】
前記傾斜面は、平面状又は曲面状に形成されていることを特徴とする請求項１に記載の画像表示装置。
【請求項３】
前記注目辺は、前記表示面の上下左右の辺のうち対向する２つの辺であることを特徴とする請求項１又は２に記載の画像表示装置。
【請求項４】
前記傾斜面は、平面状に形成され、
平面状の各傾斜面を互いに接触させ、各表示面が使用者に向くように、複数の画像表示装置を並列に配置して使用する際、
隣り合う画像表示装置の表示面同士がなす角の大きさをθ１とし、
前記傾斜面と前記表示面とがなす角をθ２とした場合に、
θ２≒１８０°−θ１／２
の関係を満たすことを特徴とする請求項３に記載の画像表示装置。
【請求項５】
前記傾斜面は、曲面状に形成され、
画像表示装置本体を回転可能にする回転軸を有し、
曲面状の前記傾斜面は、前記回転軸の軸方向に平行となる前記注目辺に対応する前記注目外装外周部に設けられており、
前記回転軸に直交する断面をとったときの前記傾斜面の形状は、前記回転軸を中心とする円弧形状を含むことを特徴とする請求項１乃至３のいずれか１項に記載の画像表示装置。
【請求項６】
前記表示パネルを駆動させる駆動回路基板と、
前記表示パネルと前記駆動回路基板との間に電気的に接続される駆動素子と、
を有し、
前記駆動素子は、前記パネルホルダーのうち傾斜形状、又は、段差形状に形成された部分に直接的又は間接的に接触して配置され、前記駆動素子で発生する熱が前記パネルホルダーに放熱されることを特徴とする請求項１乃至５のいずれか１項に記載の画像表示装置。
【請求項７】
前記駆動回路基板上には、実装部品が前記パネルホルダーの外周部に対向して配置され
、
前記表示面に直交する方向に関して、前記パネルホルダーのうち傾斜形状、又は、段差形状に形成された部分は、前記実装部品よりも前記表示面側に位置することを特徴とする請求項６に記載の画像表示装置。
【請求項８】
各表示面が使用者に向くように、他の画像表示装置が前記注目外装外周部に接触して配置される場合に、
前記注目外装外周部には、他の画像表示装置との間を遮光する遮光部材が配設されていることを特徴とする請求項１乃至７のいずれか１項に記載の画像表示装置。
【発明の詳細な説明】
【技術分野】
【０００１】
本発明は、画像表示装置に関するものである。
【背景技術】
【０００２】
医療現場においては、フィルム画像からモニター画像への転換といった情報のデジタル化に伴い、医用画像表示用の液晶ディスプレイの普及が加速している。医用画像表示用の液晶ディスプレイは、解像度がおおむね３００万画素以上のものが、Ｘ線画像表示用として用いられることが多い。乳房Ｘ線撮影装置（マンモグラフィー）など特に超高精細を要求される場合、液晶ディスプレイには、５００万画素以上の解像度が要求される。また、医用画像表示用ディスプレイは、正確な診断のためにも、使用時のストレスを低減させた環境の提供が重要である。
実際の使用に際して、医用画像表示用ディスプレイは、ポートレート（縦型）のディスプレイを左右２台並列に配置して使用されることが多い。このとき、２台のディスプレイの表示面は、各表示面が使用者に向くように、使用者に対して内向きの角度をもって設置されることが多い。これによって、液晶パネル自身に起因する輝度及び色度の視野角依存性を低減させ患部の表示画面に集中して診断を行うことが可能である。
【０００３】
図７（ａ）に、ディスプレイを左右２台並列して設置した例の概略斜視図を示す。図７（ａ）において、２台のディスプレイ６００は、背面に配置される連結部材を介して１つのスタンドで支持されている。
図７（ｂ）は、図７（ａ）の一方のディスプレイと他方のディスプレイ同士が近接する外装枠（ベゼル）６０９のＤ部における概略断面図を示している。図７（ｂ）には、表示パネル６０１、光源基板６０２、バックライトケース６０３、光学シート群６０４、弾性部材６０５、パネルホルダー６０６、弾性部材６０７、パネルホルダー６０８、外装枠６０９を示している。ここで、バックライトケース６０３は、表示パネル６０１の背面側から光を照射する光源基板６０２を保持するためのものである。また、光学シート群６０４は、光源基板６０２からの光を拡散させ、輝度向上させるためのものである。パネルホルダー６０６は、光学シート群６０４を保持しつつ弾性部材６０５を介して表示パネル６０１を背面側から支持するためのものである。パネルホルダー６０８は、弾性部材６０７を介して表示パネル６０１を表示面から支持するためのものである。外装枠６０９は、パネルホルダー６０８を収容するためのものである。
【０００４】
また、図７（ｂ）に示すディスプレイ６００においては、表示パネル６０１と駆動回路基板６１０の間に配置される駆動素子６１１で発生する熱を、熱伝導部材６１２を介して金属製のパネルホルダー６０８に放熱している。
特許文献１では、熱伝導部材を介して駆動素子の熱をパネルホルダーに放熱させる表示装置に関する技術が開示されている。
【先行技術文献】
【特許文献】
【０００５】
【特許文献１】特開２００７−２２６０６８号公報
【発明の概要】
【発明が解決しようとする課題】
【０００６】
図７（ｂ）において外装枠６０９は、樹脂材料を熱で溶かして成形型に流し込んで成型する射出成型法によって作製されるため、その製法上、材料が均一に流れる為にもほぼ均一の肉厚（約２〜５ｍｍ程度）であることが好ましい。また、ディスプレイ１台あたりの
外装枠６０９の額縁幅Ｅは、表示パネル６０１の周縁の表示エリア端Ｇから表示パネル６０１のガラス端部までの非表示面幅Ｆ及び駆動回路基板６１０の収容スペースなどによって決定され、概ね２０〜３０ｍｍ程度である。
一方で、図７（ａ）のように、ディスプレイ６００を左右２台が任意の角度θで向かい合うよう並列して設置した場合、外装枠６０９の角部の頂点Ｂを通る稜線同士が接触し合うため、ディスプレイの表示面同士をそれ以上、近付けることはできない。
このとき、ディスプレイ２台分の額縁幅（額縁幅Ｅ×２）が、一方の表示面と他方の表示面の間に存在してしまい、画像診断を行うオペレーター（使用者）の目線の移動量が増え、診断時においてストレスが生じてしまうことが懸念される。
【０００７】
本発明は上記したような事情に鑑みてなされたものであり、複数の画像表示装置を各表示面が使用者に向くように並列に配置して使用する際における視認性の向上を図ることを目的とする。
【課題を解決するための手段】
【０００８】
上記目的を達成するために本発明にあっては、
表示パネルと、
前記表示パネルを保持するパネルホルダーであって、前記表示パネルの表示面の周縁部に対向して枠状に配置される額縁部と、前記額縁部の外周端部から画像表示装置の背面側に向かって設けられ前記表示パネルの外周を取り囲む外周部と、を有するパネルホルダーと、
前記額縁部を覆う外装額縁部と、前記外装額縁部の外周端部から前記背面側に向かって設けられ前記外周部を覆う外装外周部とを有する外装部材と、
を備えた画像表示装置において、
前記表示面の上下左右の辺のうち少なくともいずれか１つの辺である注目辺に沿って配置された前記外装額縁部の部分を注目外装額縁部とし、前記注目外装額縁部の前記背面側の前記外装外周部の部分を注目外装外周部とした場合、
前記注目外装外周部には、前記背面側から前記注目外装額縁部の外周端部に向かうにつれて徐々に前記表示パネルに近づく傾斜面が形成され、
前記注目外装外周部に覆われる前記パネルホルダーの部分には、前記傾斜面の内壁に干渉しないように、前記傾斜面の形状に倣った傾斜形状、又は、段差形状が形成されていることを特徴とする。
【発明の効果】
【０００９】
本発明によれば、複数の画像表示装置を各表示面が使用者に向くように並列に配置して使用する際における視認性の向上を図ることが可能となる。
【図面の簡単な説明】
【００１０】
【図１】実施例１と従来例の画像表示装置を比較するための概略平面図
【図２】実施例１の画像表示装置の要部の概略構成を示す断面図
【図３】実施例２の画像表示装置の要部の概略構成を示す断面図
【図４】実施例３の画像表示装置の要部の概略構成を示す断面図
【図５】実施例３の画像表示装置を示す概略図
【図６】実施例３の画像表示装置を示す概略図
【図７】従来例の画像表示装置を示す概略図
【発明を実施するための形態】
【００１１】
以下に図面を参照して、この発明を実施するための形態を例示的に詳しく説明する。ただし、この実施の形態に記載されている構成部品の寸法、材質、形状それらの相対配置などは、発明が適用される装置の構成や各種条件により適宜変更されるべきものであり、こ
の発明の範囲を以下の実施の形態に限定する趣旨のものではない。
［実施例１］
以下に、実施例１について説明する。
図１は、本実施例に係る画像表示装置（以下、ディスプレイ１００）と、従来例の画像表示装置（以下、ディスプレイ５００）を比較するための概略平面図である。図１では、ポートレート（縦型）のディスプレイを左右に並列に配置して使用する例を示しており、本実施例のディスプレイ１００を図１（ｂ）に示し、従来例のディスプレイ５００を図１（ａ）に示している。
【００１２】
図１に示すように、ディスプレイの表示面（１０１、５０１）は、２台のディスプレイの表示面同士がなす角度をθ１とすると、使用者に向かい合うように、任意の角度θ１をもって設置される。この理由としては、表示面（表示領域）を使用者に向かい合うように配置することで、ディスプレイに組み込まれている輝度向上用の光学シートや表示パネル自身に起因する輝度及び色度の視野角による変化を低減させることができるからである。角度θ１の範囲は、使用者の好みに合わせて可変または一定の角度で提供され、一例としては１５０°＜θ１＜１８０°で用いられる。
【００１３】
図１（ａ）に示す従来例において、１台のディスプレイ５００の額縁幅をｄとすると、２台のディスプレイ５００を並列した際の各表示面間の距離ｃは、
ｃ＝２ｄ×ｓｉｎ（θ１／２）…式（１）
で表される。
この式（１）に対して、一例として、ｄ＝２５ｍｍ、θ１＝１６０°を代入すると、ｃ＝４９．２ｍｍが得られ、額縁幅ｄの２倍近くの距離だけ離間してしまうこととなる。
【００１４】
一方、本実施例のディスプレイ１００においては、図１（ｂ）に示すように、外装枠（外装部材）１１１に傾斜面（傾斜部）１１１ａが設けられている。２台のディスプレイ１００を並列に配置する際には、ディスプレイ間における各接触部分にそれぞれ傾斜面１１１ａが配置されている。本実施例のディスプレイ１００の構成については図２を用いて説明する。
図１（ｂ）に示す本実施例において、１台のディスプレイ１００の額縁幅をｂとすると、式（１）と同様に、２台のディスプレイ１００を並列した際の各表示面間の距離ａは、ａ＝２ｂ×ｓｉｎ（θ１／２）…式（２）
で表される。
この式（２）に対して、一例として、ｂ＝２０ｍｍ、θ１＝１６０°を代入すると、ａ＝３９．４ｍｍが得られ、従来例の値（ｃ＝４９．２ｍｍ）に比べ、約１０ｍｍ程度の距離だけ表示面同士を近付けることができることがわかる。
【００１５】
また、複数のディスプレイを並列に配置する際に、従来例のディスプレイ５００では、外装枠の稜線同士の位置を図１（ａ）に示す点Ｂで合わせなければならず、位置合わせが困難となり、ディスプレイ間に隙間が生じてしまうことが懸念される。
これに対して、本実施例のディスプレイ１００では、図１（ｂ）に示す点Ａにおける位置合わせを、外装枠１１１の傾斜面１１１ａ同士を接触させた状態で行うことができる。したがって、隣り合うディスプレイの位置合わせを、より容易に行うことができ、傾斜面同士を接触させることで、ディスプレイ間の隙間を生じにくくすることができる。
【００１６】
図２は、本実施例のディスプレイ１００の要部の概略構成を示す断面図である。
以下に、図２を用いてディスプレイ１００について説明する。
ディスプレイ１００は、図２に示すように、表示パネル１０３、光源基板１０４、バックライトケース１０５、光学シート群１０６、弾性部材１０７、パネルホルダー１０８、弾性部材１０９、パネルホルダー１１０、外装枠１１１を有する。
ここで、光源基板１０４は、表示パネル１０３の背面側から光を照射するためのものであり、バックライトケース１０５は、光源基板１０４を保持するためのものである。光学シート群１０６は、光源基板１０４からの光を拡散、輝度向上させるためのものである。パネルホルダー１０８は、光学シート群１０６を保持しつつ、弾性部材１０７を介して表示パネル１０３を背面側から保持するためのものである。パネルホルダー１１０は、弾性部材１０９を介して表示パネル１０３を表示面側から保持するためのものである。外装枠１１１は、パネルホルダー１１０を収容するためのものである。
また、ディスプレイ１００においては、表示パネル１０３と、表示パネル１０３を駆動させる駆動回路基板１１２との間に電気的に接続される駆動素子１１３で発生する熱を、金属製のパネルホルダー１１０に放熱している。
【００１７】
本実施例では、パネルホルダー１１０は、段差部１１０ａ、額縁部１１０ｂ、外周部１１０ｃを有し、外装枠１１１は、傾斜面１１１ａ、外装額縁部１１１ｂ、外装外周部１１１ｃを有している。
ここで、額縁部１１０ｂは、表示パネル１０３の表示面１０１の周縁部に対向して枠状に配設されている。外周部１１０ｃは、額縁部１１０ｂの外周端部からディスプレイ１００の背面側（図２に示す右側）に向かって設けられ表示パネル１０３の外周を取り囲むように配設されている。外装額縁部１１１ｂは、額縁部１１０ｂを覆うように配設され、外装外周部１１１ｃは、外装額縁部１１１ｂの外周端部から背面側に向かって設けられ外周部１１０ｃを覆うように配設されている。
【００１８】
そして、外装外周部１１１ｃ（注目外装外周部）には、背面側から外装額縁部１１１ｂ（注目外装額縁部）の外周端部に向かうにつれて徐々に表示パネル１０３に近づくように傾斜面１１１ａが形成されている。また、外装外周部１１１ｃに覆われるパネルホルダー１１０の部分には、傾斜面１１１ａの内壁に干渉しないように、クランク状の（段差形状が形成された）段差部１１０ａが設けられている。
このとき、段差部１１０ａは、フレキシブル基板１１２ｂを介して駆動素子１１３と熱的に近接するように構成されている。このように段差部１１０ａを形成することで、駆動素子１１３で発生する熱を金属製のパネルホルダー１１０に速やかに放熱拡散させることができ、駆動素子１１３の加熱を防止することができる。また、駆動素子１１３には、パネルホルダー１０８との間に弾性部材１１４を配置して、金属製のパネルホルダー１１０への熱接触抵抗を低減させている。弾性部材１１４としては、耐熱性シリコーンフォームなどを例示することができる。ここで、本実施例では、段差部１１０ａと駆動素子１１３は、フレキシブル基板１１２ｂを介して間接的に接触するものであるが、これに限らず、直接的に接触するように構成されるものであってもよい。
【００１９】
また、段差部１１０ａは、駆動回路基板１１２と干渉しないように、表示パネル１０３の表示面１０１に直交する方向（図２における左右方向）に関して、駆動回路基板１１２よりも表示パネル１０３側（表示面側）に配置されている。ここで、図２における上下方向（表示面１０１に平行な方向）で、段差部１１０ａと駆動回路基板１１２が重ならないように配置されている場合には、段差部１１０ａは、駆動回路基板１１２上の実装部品１１２ａと干渉しないように配置されるものであればよい。すなわち、段差部１１０ａは、図２における左右方向に関して、駆動回路基板１１２上の実装部品１１２ａよりも表示パネル１０３側に配置されていればよい。このとき、実装部品１１２ａは、図２に示すように、パネルホルダー１１０の外周部１１０ｃに対向するように、駆動回路基板上に配置されているものとする。
【００２０】
外装枠１１１はその製法上、場所に依らずほぼ均一の肉厚（約２〜５ｍｍ程度）であることが好ましい為、傾斜面１１１ａの外側面（外壁面）と内側面（内壁面）は略平行な面を成し、パネルホルダー１１０の段差部１１０ａに近接した形状を成している。
ここで、外装枠１１１の傾斜面１１１ａと表示面１０１に平行な面がなす角度θ２は、前述した２台のディスプレイの表示面同士がなす角度θ１との間で、
θ２≒１８０°−θ１／２…式（３）
の関係を満たしている。
ここで、図１（ｂ）、図２では、角度θ２を、説明の便宜上、傾斜面１１１ａと、表示面１０１に平行となる外装額縁部１１１ｂの外側面とがなす角度として示している。
この式（３）に対して、一例としてθ１＝１６０°を代入すると、θ２＝１００°が得られ、隣り合う２台のディスプレイの傾斜面１１１ａの面同士を平行に近付けることで、表示面同士も近付けることができる。
【００２１】
以上説明したように、本実施例では、外装枠１１１に傾斜面１１１ａを設けている。そして、各表示面が使用者に向くように複数のディスプレイを並列に配置した際に、隣り合うディスプレイ間の接触部分に傾斜面１１１ａを配置することで、隣り合うディスプレイの表示面同士を近付けることができる。本実施例では、パネルホルダー１１０の一部に段差部１１０ａを形成しているので、隣り合うディスプレイの表示面同士を、より近付けることができるような傾斜面１１１ａを、外装枠１１１に形成することができる。
これにより、複数のディスプレイを並列に配置して使用する際における視認性の向上を実現することが可能となる。したがって、画像診断時に使用者に与えるストレスを低減することができる。
【００２２】
ここで、本実施例では、ディスプレイ１００の表示面１０１の上下左右の辺のうち対向する２つの辺（注目辺）に沿って傾斜面１１１ａが設けられている。これにより、各表示面が使用者に向くように複数のディスプレイを並列に配置した場合に、隣り合うディスプレイ間における各接触部分にそれぞれ傾斜面を配置することができ、表示面同士を、より好適に近付けることができる。しかし、傾斜面１１１ａは、ディスプレイ１００の表示面１０１の辺のうち１つの辺のみに設けられていてもよく、この傾斜面を、傾斜面が設けられていないディスプレイに接触させて２つのディスプレイを並列に配置しても、表示面同士を近付けることができる。このように、傾斜面１１１ａは、ディスプレイ１００の表示面１０１の上下左右の辺のうち少なくともいずれか１つの辺に沿って設けられるものであるとよい。
【００２３】
また、上述したように図１（ｂ）に示す例では、隣り合うディスプレイ１００間において各傾斜面１１１ａが接触することにより、ディスプレイ間の隙間が生じにくい構成となっている。これに対して、図２では、ディスプレイ１００の傾斜面１１１ａに沿ってクッション材（遮光部材）１１５を配置した例を示している。このようなクッション材１１５を隣り合うディスプレイ１００間の少なくとも一方の傾斜面１１１ａに沿って貼り付けて配置することで、ディスプレイ同士の隙間をより確実に埋めることができ、その隙間から光が漏れないように遮光することができる。これにより、使用者は表示画像に集中して診断を行うことが可能となる。クッション材１１５としては、その材質をウレタンゴムやエチレンプロピレンジエンゴム（ＥＰＤＭ）等で作製し、厚さの一例として額縁幅への影響が小さい１ｍｍ程度のものを０．５ｍｍ程度に圧縮して用いると好適である。
また、本実施例では、傾斜面１１１ａは、図２に示すように外装枠１１１の外装外周部１１１ｃの一部に設けられるものであるが、これに限るものではない。例えば、外装外周部１１１ｃの全域が傾斜面１１１ａとして構成されるものであってもよい。
【００２４】
［実施例２］
次に、図３を用いて実施例２について説明する。なお、本実施例では、実施例１に対して異なる構成部分に関して説明することとし、実施例１と同様の構成部分については、その説明を省略する。
図３は、本実施例のディスプレイ２００の要部の概略構成を示す断面図である。
実施例１では、パネルホルダー１１０に段差部１１０ａが形成されていたが、本実施例のパネルホルダー２１０には、外装枠２１１の傾斜面２１１ａの内壁に干渉しないように、傾斜面２１１ａの形状に倣った傾斜形状が形成されている。
【００２５】
すなわち本実施例では、図３に示すように、金属製のパネルホルダー２１０が、外装枠２１１の傾斜面２１１ａと略平行な面である傾斜面２１０ａを有している。
表示パネル２０３は、光源基板１０４を底面として光学シート群１０６、パネルホルダー２０８の順に積載した後に、パネルホルダー２０８側の弾性部材１０７を介して積載される。その後、弾性部材１０９を貼付したパネルホルダー２１０を表示パネル２０３の表示面２０１と略垂直な方向（矢印Ｃ方向）に沿って、表示パネル２０３に向かって積載させる。
ここで、パネルホルダー２１０の傾斜面２１０ａの内側面は、表示パネル２０３と駆動回路基板１１２との間に介在するフレキシブル基板１１２ｂを介して駆動素子２１３と熱的に接触させる構成となっている。また、実施例１と同様に、駆動素子２１３には、パネルホルダー２０８との間に、耐熱性シリコーンフォーム等の弾性部材２１４を配置して、金属製のパネルホルダー２１０への熱接触抵抗を低減させている。
【００２６】
このような構成により、パネルホルダー２１０を表示パネル２０３に向かって積載させていくと、駆動素子２１３が実装されている箇所のフレキシブル基板１１２ｂとパネルホルダー２１０の傾斜面２１０ａが接触する。さらに、パネルホルダー２１０を表示パネル２０３に向かって積載させると、フレキシブル基板１１２ｂと傾斜面２１０ａが接触した状態のまま、弾性部材２１４が圧縮されることで、パネルホルダー２１０と表示パネル２０３を組み付けることができる。パネルホルダー２１０と表示パネル２０３は、積層された後に、ねじ等の締結部材で固定される。
【００２７】
このように本実施例では、パネルホルダー２１０に傾斜面２１０ａを設け、パネルホルダー２１０の組み付け時に、弾性部材２１４が圧縮されるように構成している。これにより、実施例１の効果に加えて次のような効果が得られる。すなわち、フレキシブル基板１１２ｂにパネルホルダー２１０が引っ掛かることなくスムーズに、パネルホルダー２１０と表示パネル２０３の組み付けを行うことが可能となる。
【００２８】
［実施例３］
次に、図４、図５を用いて実施例３について説明する。なお、本実施例では、実施例１、実施例２に対して異なる構成部分に関して説明することとし、実施例１、実施例２と同様の構成部分については、その説明を省略する。
図４は、本実施例のディスプレイ３００の要部の概略構成を示す断面図であり、回転軸Ｏに直交する断面で切断した図である。図５（ａ）は、本実施例のディスプレイ３００を２台、並列に配置した状態を示す概略平面図である。図５（ｂ）は、図５（ａ）に示す２台のディスプレイ３００を背面側から見たときの概略図である。
実施例１では、外装枠１１１の外装外周部１１１ｃに平面状の傾斜面１１１ａが形成されていた。また、実施例２においても、外装枠２１１の傾斜面２１１ａは平面状に形成されていた。これに対して、本実施例では、外装枠３１１の傾斜面が曲面状に形成されている。本実施例では、外装枠３１１に形成された曲面状の傾斜面を曲面部３１１ａという。また、本実施例のディスプレイ３００は、ディスプレイ本体（画像表示装置本体）を回転可能にする回転軸Ｏを有している。そして、曲面部３１１ａは、ディスプレイ３００の表示面３０１の辺のうち、回転軸Ｏの軸方向に平行となる辺に対応する外装外周部３１１ｃに設けられている。
【００２９】
ディスプレイ３００は、図４、図５（ａ）において、回転軸Ｏを回転中心として左右に回転可能である。また、図４に示すように、回転軸Ｏと外装枠３１１の曲面部３１１ａと
の距離をＲとすると、曲面部３１１ａの断面形状は、回転軸Ｏを中心点とした半径Ｒの略円弧形状を含んでいる。また本実施例では、曲面部３１１ａは、図５（ａ）に示すように、外装枠３１１の互いに対向する２辺である長辺に設けられているので、隣り合うディスプレイ３００は、互いに曲面部３１１ａ同士が接する配置になる。
【００３０】
本実施例では、並列に配置された２つのディスプレイ３００を、回転軸Ｏを回転中心として回転させることで、隣り合う表示面同士のなす角度θ１を所望の角度に適宜変更することができ、視認性をより向上させることができる。このとき、本実施例では、外装枠３１１の曲面部３１１ａが半径Ｒの略円弧状に形成されているため、角度θ１を変更しても、隣り合うディスプレイ３００同士が離間してしまうことはない。
【００３１】
図５（ａ）、図５（ｂ）では、曲面部３１１ａ同士が接する箇所の背面側に、外装枠３１１の色調と近い色のシート部材（遮光部材）４０１を配置した例を示している。本実施例では、黒色系ポリエチレンテレフタレート（ＰＥＴ）を含む材料でシート部材４０１を構成した。シート部材４０１には、水平方向に長軸を有する長穴４０１ａが設けられ、ディスプレイ３００の背面には、ねじ孔部４０３が設けられている。そして、長穴４０１ａを通して締結ねじ４０２をねじ孔部４０３に締結することで、シート部材４０１をディスプレイ３００に固定することができる。
図５（ｂ）では、１台につきディスプレイ３００の背面に設けられた６箇所のねじ孔部４０３のうち３箇所を用いて、ディスプレイ３００の長辺と略等しい長さのシート部材４０１を固定した例を示している。
【００３２】
これにより、隣り合うディスプレイ３００間に僅かな隙間ができてしまった場合においても、シート部材４０１が介在していることで、隣り合うディスプレイの一体感が損なわれることがない。また、シート部材４０１を設けることで、隣り合うディスプレイ間の隙間を、より確実に埋めることができ、その隙間から光が漏れないように遮光することができる。これにより、使用者は表示画像に集中して診断を行うことが可能となる。
【００３３】
ここで、本実施例においては、曲面部３１１ａを有する外装枠３１１と、段差部１１０ａを有するパネルホルダー１１０の組み合わせを示したが、これに限るものではない。曲面部３１１ａを有する外装枠３１１と、図３に示したような傾斜面２１０ａを有するパネルホルダー２１０を組み合わせてもよい。
また、図５（ｂ）では１台のディスプレイ３００に対して、１つのスタンド支柱４０４と、１つのスタンド台座４０５を組合せた配置例を示したが、これに限るものではない。例えば、図６に示すように、２台のディスプレイ３００を連結する連結部材４２４をスタンド支柱４１４に設けてもよい。このような連結部材４２４を設けることで、隣り合う２台のディスプレイ３００を、１つのスタンド支柱４１４と、１つのスタンド台座４１５の組み合わせで支持することができる。
さらに、上記した実施例１〜３では、２台のディスプレイが左右に隣り合って配置される例を示したが、これに限るものではない。２台以上の複数台のディスプレイを並列に配置する場合や、上下に２台以上の複数台のディスプレイを並列に配置する場合であっても、本発明を好適に適用することが可能である。
【符号の説明】
【００３４】
１００…ディスプレイ、１０１…表示面、１０３…表示パネル、１１０…パネルホルダー、１１０ａ…段差部、１１０ｂ…額縁部、１１０ｃ…外周部、１１１…外装枠、１１１ａ…傾斜面、１１１ｂ…外装額縁部、１１１ｃ…外装外周部
【図１】
2016109918.tif 000003
【図２】
2016109918.tif 000004
【図３】
2016109918.tif 000005
【図４】
2016109918.tif 000006
【図５】
2016109918.tif 000007
【図６】
2016109918.tif 000008
【図７】
2016109918.tif 000009